(57)【要約】本発明の装置は：ステレオ入力信号を別のモノラル入力信号と混合するために使用し、両方の信号の混合を独立して増幅させ且つ／または減衰させる回路と；中波と高周波と低周波に分けるために使用される、三つの作動分周器と；三つの分れた周波数帯域に関して、三つの増幅器と；低周波モノラル増幅器のアウトレットに接続された、サブバスジェネレータと；中波及び高周波増幅器のアウトレットに接続される、耳当て及び／またはツーウェイバフルシステムを備える。任意に、前記増幅器の複数のアウトレットが、ステレオ増幅器用の二つのチャンネルとすることができる。
2004531162.tif 000002
【特許請求の範囲】
【請求項１】
ビデオゲームまたは類似のものからの音声信号及び（または）音楽演奏をモニタリングする装置において、
ステレオ入力信号とモノラル信号を混合／減衰する回路を備え、それらのアウトレットが、低周波、中波及び高周波に分ける三つの作動分周器に接続され、それらのアウトレットが独立して三つの周波数帯域の三つの独立増幅器に接続され、低周波増幅器のアウトレットが、サブバスジェネレータを駆動させ、ヘッドホンまたは通常のツーウェイバフルシステムが、中波増幅器及び高周波増幅器のアウトレットに接続されることを特徴とする装置。
【請求項２】
低周波増幅器と高周波増幅器が、ステレオ増幅器の二つのチャンネルから成ることを特徴とする請求項１に記載の装置。
【発明の詳細な説明】
【技術分野】
【０００１】
本発明の実用モデルは、ビデオゲームまたは類似のものからの音声信号及び（または）音楽演奏をモニタリングする装置に関するものである。
【背景技術】
【０００２】
現在、音楽演奏のモニタリングは、音を発する人たちかいるエリアに向かう演奏音のサウンドビームを目的としており、それによりテンポ及び／または音調を維持し、且つビートを損なわないために、彼等自身が聞くことができる。
【発明の開示】
【発明が解決しようとする課題】
【０００３】
そのようなモニタリングは通常、ラウドスピーカーによって達成されており、それは周波数帯域が400ヘルツより下に広がる楽器、ベース、キーボード及びシンセサイザーのような楽器がある時、不利である。なぜなら、モニタリング中に聞き取れるように、それらが高音のレベルである必要があるからで、それは音の結合を生じさせ得、そのために、より高電力、検量及びコストでモノターを使用する必要性が生じる。加えて、ヘッドホンがそのような低い周波数帯域に及ばないので、ヘッドホンではそれらの楽器のモニタリングを実行できない。
【０００４】
他方で、コンピューター及びゲームコンソールビデオゲームは、それらの現実性を増す音響効果を備えている。また映像及び／または音信号とは異なる別のタイプの信号を、ユーザーにもたらすと、その現実性を更に増し得る。
【０００５】
本発明による装置は、その構造及び使用に関して、音楽演奏をモニタリングすること、及び／またはゲームコンソール、コンピューターなど用のビデオゲームに使用するため、かなり適切であり、費用に対して最も効率よく且つ簡単な構造を有している。
【課題を解決するための手段】
【０００６】
本発明によると、装置は：
ステレオ入力信号を別のモノラル入力信号と混合するために使用する回路を備え、前記信号を制御し、両方の信号の混合を独立して増幅させ且つ／または減衰させており、
中波と高周波と低周波に分けるため、三つの調節可能な作動分周器を備え、低周波として好ましくは30〜400ヘルツの帯域に相当し、各フィルターの作動周波数は、別々に調節可能であり、
作動分周器によって分れた周波数帯域を、独立して増幅／制御する、三つの増幅器を備え、二つの増幅器が、好ましくはステレオ増幅器の二つのチャンネルから成る中波及び高周波を制御し、低周波制御用の増幅器はモノラルであり、
マッサージ装置に使用されるタイプであって、低周波モノラル増幅器のアウトレットに接続された、サブバスジェネレータ（sub-buss generator）、または無膜型のラウドスピーカーを備え、
中波及び高周波増幅器のアウトレットに接続される、ヘッドホン及び／またはツーウェイバフルシステムを備える。
【０００７】
装置に、音楽演奏などのミキシングデスクからのステレオ入力信号と、メトロノーム、リズムボックスまたは、選択したテンポを維持するために使用される何か別の装置からのモノラル信号を供給し、信号を混合して、複数の周波数によって混合した信号を調節して分け、前記複数の周波数帯域が別々に増幅されて、中波と高周波増幅器のアウトレットが、複数のヘッドホンまたは通常のツーウェイバフルシステムに接続されると、それが演奏者達に聞き取れようになり、サブバスジェネレータは、好ましくは全ての演奏者の座席の下またはベルト上に配置され、与えられる低周波信号で振動し、低周波増幅器により独立して増幅される時、演奏者に、通常のモニタリングの場合に、低周波帯域の楽器を知覚するため、そのように高い音のレベルを必要としない、音信号を置き換え且つ／または補足する、触感的な感覚をもたらし、演奏家はサブバスジェネレータから生じる振動の強度を独立して調節することができる。加えてモニタリングは、メトロノームまたはリズムボックスからの信号をまとめて、演奏者に同じテンポを維持させる可能性を改善する。
【発明の効果】
【０００８】
他方で、ビデオゲームによって発生されるようなオーディオ信号を、装置のステレオ入力に接続することで、アウトレットに、通常のラウドスピーカーによって聞くことができるその高周波及び中波をもたらし、分けられた低周波が、プレイヤーの座席の下またはベルト上に配置される、サブバスジェネレータを作動させ、それによりゲームの現実性を増し、使用されない装置のモノラル入力は、この使用モードのままである。
【発明を実施するための最良の形態】
【０００９】
図１は、本発明による装置を概略的に示している。
図２は、本発明による装置を示している。
【実施例】
【００１０】
本発明による装置１は、回路２を備えており、その回路は、ミキシングデスク４から発するステレオ入力信号３と、リズムボックス５によって発生するモノラル信号５を、前記入力信号の対応する減衰器によって混合するために使用される。回路２は、それらの入力信号を減衰器７及び８によって混合、制御、増幅／減衰させ、回路はそのアウトレット９を、高周波、中波低周波に分ける三つのフィルター１０、１１及び１２に接続しており、前記フィルターは対応する四部区間ポテンショメータ（quad potentiometer）１３、１４によって独立して調節可能である。
【００１１】
低周波フィルター１０のアウトレット１５は、独立した調節ノブ１７を有するモノラル増幅器１６に接続されており、中波及び高周波フィルター１１及び１２のアウトレット１８及び１９が、ステレオ増幅器２０のチャンネルに接続されており、調節の部２１が、そのアウトレット２２が、ヘッドホン２３またはバフル２４に接続されており、増幅器１６のアウトレット２５が、演奏者または演奏家の座席の下またはベルト上に配置することができる、サブバスジェネレータ２６を駆動させる。
【００１２】
本発明の特徴、並びにその実施例は充分に説明されており、上記され且つ添付図面に示された装置は、細かい部分の変更しても、その場合に本発明の主要な概念を変えることはない。
【図面の簡単な説明】
【００１３】
【図１】本発明による装置の概略図。
【図２】本発明による装置。
【国際公開パンフレット】
2004531162.tif 000003
2004531162.tif 000004
2004531162.tif 000005
2004531162.tif 000006
2004531162.tif 000007
2004531162.tif 000008
2004531162.tif 000009
2004531162.tif 000010
2004531162.tif 000011
【国際調査報告】
2004531162.tif 000012
2004531162.tif 000013
2004531162.tif 000014
2004531162.tif 000015
2004531162.tif 000016
2004531162.tif 000017